(57)【要約】【課題】冬季に手を暖めることのできるプレスブレーキを提供する。【解決手段】板状のワークの折曲げ加工を行うプレスブレーキであって、当該プレスブレーキ１における下部テーブル７の前側に、作業者の手を暖めるための加熱手段１７を備えている。前記加熱手段１７は、前記下部テーブル７の前側に左右方向に長い送風ダクト１９を備え、この送風ダクト１９を熱源１５に接続可能に備えると共に、当該送風ダクト１９の複数箇所に上方向に排風する開口部を備えている。前記熱源はプレスブレーキに備えられた制御盤である。前記送風ダクト１９に備えた前記各開口部に対応した位置に、排風選択手段２５を備えている。前記排風選択手段２５は正逆回転可能な送風ファンである。【選択図】図１
2014217850.tif 000002
【特許請求の範囲】
【請求項１】
板状のワークの折曲げ加工を行うプレスブレーキであって、当該プレスブレーキにおける下部テーブルの前側に、作業者の手を暖めるための加熱手段を備えていることを特徴とするプレスブレーキ。
【請求項２】
請求項１に記載のプレスブレーキにおいて、前記加熱手段は、前記下部テーブルの前側に左右方向に長い送風ダクトを備え、この送風ダクトを熱源に接続可能に備えると共に、当該送風ダクトの複数箇所に上方向に排風する開口部を備えていることを特徴とするプレスブレーキ。
【請求項３】
請求項２に記載のプレスブレーキにおいて、前記熱源はプレスブレーキに備えられた制御盤であることを特徴とするプレスブレーキ。
【請求項４】
請求項２又は３に記載のプレスブレーキにおいて、前記送風ダクトに備えた前記各開口部に対応した位置に、排風選択手段を備えていることを特徴とするプレスブレーキ。
【請求項５】
請求項４に記載のプレスブレーキにおいて、前記排風選択手段は正逆回転可能な送風ファンであることを特徴とするプレスブレーキ。
【発明の詳細な説明】
【技術分野】
【０００１】
本発明は、上下の金型によって板状のワークの折曲げ加工を行うプレスブレーキに係り、さらに詳細には、冬季に作業者の手を暖めることのできるプレスブレーキに関する。
【背景技術】
【０００２】
プレスブレーキによって比較的小さな板状のワークの折曲げ加工を行うとき、作業者がワークを把持して上下の金型間へワークの供給をしている。そして、バックゲージに対してワークの後端部を当接することによってワークの前後方向の位置決めを行っている（例えば特許文献１参照）。
【先行技術文献】
【特許文献】
【０００３】
【特許文献１】特開２００６−２６６８６号公報
【発明の概要】
【発明が解決しようとする課題】
【０００４】
プレスブレーキにおいて折曲げ加工されるワークは金属板が一般的である。したがって、冬季にはワークは極めて冷たい状態にあり、また工場内は充分な暖房が行われていない状態が多い。よって、作業者の指先は冷えやすく、かじかみ易いものである。そして冷たいワークの把持を繰り返すと、手がかじかんで動きが鈍くなり、時には把持したワークを落下することがあるなどの危険がある。
【課題を解決するための手段】
【０００５】
本発明は、上述のごとき問題に鑑みてなされたもので、板状のワークの折曲げ加工を行うプレスブレーキであって、当該プレスブレーキにおける下部テーブルの前側に、作業者の手を暖めるための加熱手段を備えていることを特徴とするものである。
【０００６】
また、前記プレスブレーキにおいて、前記加熱手段は、前記下部テーブルの前側に左右方向に長い送風ダクトを備え、この送風ダクトを熱源に接続可能に備えると共に、当該送風ダクトの複数箇所に上方向に排風する開口部を備えていることを特徴とするものである。
【０００７】
また、前記プレスブレーキにおいて、前記熱源はプレスブレーキに備えられた制御盤であることを特徴とするものである。
【０００８】
また、前記プレスブレーキにおいて、前記送風ダクトに備えた前記各開口部に対応した位置に、排風選択手段を備えていることを特徴とするものである。
【０００９】
また、前記プレスブレーキにおいて、前記排風選択手段は正逆回転可能な送風ファンであることを特徴とするものである。
【発明の効果】
【００１０】
本発明によれば、作業者の手が冷えたときには、加熱手段によって手を暖めることができ、前述した問題を解消し得るものである。
【図面の簡単な説明】
【００１１】
【図１】本発明の実施形態に係るプレスブレーキの構成を概念的、概略的に示した正面説明図である。
【図２】加熱手段の１例としての送風ダクトの作用説明図である。
【図３】送風ダクトの第２の実施形態を示す説明図である。
【発明を実施するための形態】
【００１２】
以下、図面を用いて本発明の実施形態について説明するに、図１に概念的、概略的に示すように、本発明の実施形態に係るプレスブレーキ１は、一般的なプレスブレーキと同様に左右のサイドフレーム３Ｌ，３Ｒを備えている。そして、前記サイドフレーム３Ｌ，３Ｒの前側上部には上部テーブル５が備えられ、前側下部には下部テーブル７が備えられている。前記上下テーブル５，７の一方はラムとして上下動自在に備えられている。
【００１３】
前記上部テーブル５には上金型（パンチ）９が備えられており、下部テーブル７には、前記パンチ９と協働して板状のワーク（図示省略）の折曲げ加工を行う下金型（ダイ）１１が備えられている。そして、前記パンチ９、ダイ１１による折曲げ加工位置の後側にはワークの前後方向（図１において紙面に垂直な方向）の位置決めを行うバックゲージ１３が前後方向へ移動位置決め自在に備えられている。また、前記プレスブレーキ１には、プレスブレーキ１の動作を制御するためのＮＣ装置など制御盤１５が備えられている。
【００１４】
なお、上記構成のごときプレスブレーキ１は既によく知られた構成であるから、プレスブレーキ１の全体的構成についてのより詳細な説明及び動作説明は省略する。
【００１５】
前記構成において、比較的小さなワークの折曲げ加工を行う場合、作業者がワークを把持し、上下の金型９，１１の間へ配置して、バックゲージ１３に当接することによってワークの前後方向の位置決めを行う。その後、プレスブレーキ１を動作して上下の金型９，１１によってワークを挟圧することにより、ワークの折曲げ加工を行うものである。
【００１６】
上述のようにワークを把持してワークを上下の金型９，１１間へ位置決めするとき、冬季においてはワークは極めて冷たいものである。したがって、ワークを把持する作業者の手は冷たくなり、かじかんで動作が鈍り、場合によってはワークを落下するようなことがある。
【００１７】
そこで、本実施形態に係るプレスブレーキ１には、作業者の手を暖めるための加熱手段１７が備えられている。より詳細には、前記下部テーブル７における前側の適宜高さ位置、すなわち作業者の作業時における手の高さ位置に対応した高さ位置には、加熱手段１７の１例としての送風ダクト１９が備えられている。上記送風ダクト１９は、前記下部テーブル７の左右方向の幅寸法に対応して左右方向に長く設けられている。そして、前記送風ダクト１９は、熱源の１例としての前記制御盤１５に接続可能に備えられている。
【００１８】
すなわち、制御盤１５は、各種の半導体素子を備えた基板等を内装している。前記半導体素子は発熱するものであるから、制御盤には、制御盤内の排熱を行うためのファンを備えているのが一般的である。したがって、前記制御盤内において加熱された空気を前記送風ダクト１９内へ送風し、送風ダクト１９から温風を吹き出すことにより、前記送風ダクト１９を、作業者の手を暖めるための加熱手段として使用することができるものである。
【００１９】
前記制御盤１５内において加熱された空気を前記送風ダクト１９内へ送風するために、前記制御盤１５と送風ダクト１９との接続部には送風ファン２１が備えられている。したがって、前記送風ファン２１を正回転することにより、制御盤１５内の暖かい空気を送風ダクト１９内へ送風することができる。そして、前記送風ファン２１の回転を停止することにより、送風ダクト１９内への暖かい空気の送風を停止することができる。すなわち、送風ダクト１９に対する暖かい空気の送風は必要なときに送風できればよいものである。換言すれば、前記送風ダクト１９は、熱源の１例としての制御盤１５と常に接続した状態でなくても、接続可能であればよいものである。
【００２０】
前記送風ダクト１９の上面には、暖かい空気を上方向に排風するための複数の開口部（図示省略）が送風ダクト１９の長手方向（左右方向）に適宜間隔に備えられている。そして、前記各開口部に対応した位置には、各開口部から暖かい空気を排風するか否かを選択する排風選択手段２３が備えられている。
【００２１】
上記排風選択手段２３の１例として、本実施形態においては、前記各開口部に対応して送風ダクト１９内に正逆回転可能なファン２５が備えられている。上記各送風ファン２５は、送風ダクト１９内の送風方向の上流側よりも下流側が高くなるように傾斜して備えられている。なお、前記送風ダクト１９の下流端側には別個の送風ファン２７が備えられている。
【００２２】
前記構成において、送風ファン２１を正回転すると、熱源の１例としての制御盤１５内の暖かい空気が加熱手段１７の１例としての送風ダクト１９内へ送風される。この際、送風ダクト１９内の全ての送風ファン２５を正回転すると共に、送風ファン２７を正回転すると、図２（Ａ）に示すように、送風ダクト１９内の空気は送風ダクト１９の内部底面方向へ指向されて送風され、かつ送風ファン２７によって外部へ排風されることになる。
【００２３】
したがって、送風ダクト１９内の全ての送風ファン２５及び送風ファン２７を正回転することにより、送風ダクト１９の上面に備えた各開口部からの暖かい空気の上方向への排風は抑制されるものである。
【００２４】
前述のように、送風ファン２１によって制御盤１５内の暖かい空気を送風ダクト１９内へ送風しているときに、送風ファン２７の回転を停止し、かつ所望の送風ファン２５Ａ，２５Ｂを逆回転すると、当該送風ファン２５Ａ，２５Ｂに対応した開口部から暖かい空気が上方向に排風されることになる。したがって、排風される暖かい空気の流れに作業者の手を当てることにより、手を暖めることができるものである。
【００２５】
なお、どの位置の送風ファン２５Ａ，２５Ｂを逆回転するかは、ワークの寸法形状や折曲げ加工位置に対応して、制御装置（ＮＣ装置）に予め設定することができる。また、各開口部に対応した位置に例えば近接センサを備え、この近接センサによって手を検知した場合に、対応する送風ファンを逆回転する構成とすることも可能である。さらには、各開口部に対応した位置にＯＮ，ＯＦＦスイッチを備えて、このスイッチを作業者が操作することにより、所望の送風ファン２５を逆回転する構成とすることも可能である。すなわち、所望の送風ファン２５を逆回転して、所望の開口部から暖かい空気を上方向に排風する構成としては種々の構成を採用することができるものである。
【００２６】
図３は、第２の実施形態を示すもので、この実施形態においては、送風ダクト１９に備えた各開口部の位置にそれぞれ送風ファン２５を備えた構成である。この構成においては、所望位置の送風ファン２５を正回転すると、この正回転された送風ファン２５から暖かい空気が上方向に送風されるものである。この実施形態においても前述と同様の効果を奏し得るものである。
【００２７】
なお、本発明は、前述したごとき実施形態に限るものではなく、適宜の変更を行うことにより、その他の形態でもって実施可能なものである。すなわち、前記説明においては、制御盤１５内において加熱された空気を送風ダクト１９内へ送風する場合について説明した。しかし、例えばヒータ等の熱源を補助熱源として追加し、この補助熱源によって加熱された空気を送風ダクト１９内へ送風する構成とすることも可能である。また、制御盤１５とは別個に備えたヒータによって加熱された空気を送風ダクト１９内へ送風する構成とすることも可能である。
【００２８】
また、前記説明においては、排風選択手段２３の１例として、送風ダクト１９における各開口部に対応して送風ファン２５を備え、所望位置の送風ファン２５を回転することにより、所望の開口部から暖かい空気を排風する構成について例示した。しかし、各開口部に、当該開口部を開閉可能なシャッタを備え、所望位置のシャッタを開くことによって、所望の開口部から暖かい空気を排風する構成とすることも可能である。
【００２９】
さらには、プレスブレーキにおける下部テーブル７の前側に複数のヒータを左右方向に適宜間隔に備え、所望位置のヒータによって作業者の手を暖める構成とすることも可能である。また、前記下部テーブル７の前側にヒータを左右方向へ移動自在に備え、作業者の左右方向の位置に対応して上記ヒータを左右方向に移動し、このヒータによって作業者の手を暖めることも可能である。
【００３０】
すなわち、作業者の手を暖めるための加熱手段の構成としては、種々の構成を採用することができるものである。
【００３１】
なお、前述のように、送風ダクト１９を用いた構成においては、送風ダクト１９内に暖かい空気を送風することなく、室温の空気を送風することも可能である。したがって、夏季には作業者の手元へ風を当てることができ、作業者に涼感を与えることができるものである。
【００３２】
以上のごとき説明より理解されるように、冬季においては作業者の手を容易に暖めることができ、手がかじかむことに起因する問題を解消し得るものである。
【符号の説明】
【００３３】
１  プレスブレーキ
１５  制御盤（熱源の１例）
１７  加熱手段
１９  送風ダクト
２１  送風ファン
２３  排風選択手段
２５  送風ファン
２７  送風ファン
【図１】
2014217850.tif 000003
【図２】
2014217850.tif 000004
【図３】
2014217850.tif 000005